(57)【特許請求の範囲】
【請求項１】
複数の機器に対してネットワーク経由で制御を行う連動制御装置であって、
前記連動制御装置に接続している前記複数の機器の現在状態を通信部を介して記憶する現在状態記憶部と、
連動制御を行う設定情報であって、連動元機器情報と連動元条件台数情報と連動元条件動作情報と連動先機器情報と連動先制御動作情報とを一つの対応付け情報として含む設定情報が記憶される設定情報記憶部と、
を備え、
前記連動元機器情報は、連動元となる前記複数の機器である連動元機器に関する情報を含み、
前記連動元条件台数情報は、前記連動元機器の対象台数に関する情報を含み、
前記連動元条件動作情報は、前記連動元機器の発停に関する情報を含み、
前記連動先機器情報は、連動先となる前記複数の機器である連動先機器に関する情報を
含み、
前記連動先制御動作情報は、前記連動先機器の発停に関する情報を含み、
前記現在状態と前記設定情報に基づいて前記連動先機器に前記連動先制御動作情報の動作を行わせる制御部をさらに備えており、
前記複数の機器は、空調機器及び換気機器及び外部入出力及びアナログ入出力のいずれかが可能な機器のいずれかを含み、
前記制御部は、前記連動元機器の前記連動元条件台数が前記連動元条件動作を充たすと判断された場合、前記連動先機器に前記連動先制御動作情報の動作を行わせるものであって、
前記連動元条件動作情報は、前記連動元機器の一定時間内におけるリモコン操作及びリモコン未操作及び人感センサにおける人の検知及び人感センサにおける人の未感知のいずれかに関する情報をさらに含み、
前記連動元機器はリモコン及び人感センサのいずれかが付属している空調機器及び換気機器及び外部入出力及びアナログ入出力のいずれかが可能な機器のいずれかを含み、
前記設定情報は、第一設定情報と第二設定情報を備えており、
前記第一設定情報に関しては、
前記連動元機器情報に、連動元となる人感センサが付属した空調機器群に関する情報を含み、
前記連動元条件台数情報に、前記連動元となる人感センサが付属した空調機器群の対象条件台数に関する情報である任意の台数以上を含み、
前記連動元条件動作情報に、前記連動元となる人感センサが付属した空調機器群の動作である人感知を含み、
前記連動先機器情報に、連動先となる接点入出力可能な照明機器群に関する情報を含み、
前記連動先機器情報に、前記連動先となる接点入出力可能な照明機器群の動作に関する情報である運転を含み、
前記第二設定情報に関しては、
前記連動元機器情報に、連動元となる人感センサが付属した空調機器群に関する情報を含み、
前記連動元条件台数情報に、前記連動元となる人感センサが付属した空調機器群の対象条件台数に関する情報である全台数以上を含み、
前記連動元条件動作情報に、前記連動元となる人感センサが付属した空調機器群の動作に関する情報である人未感知を含み、
前記連動先機器情報に、連動先となる接点入出力可能な照明機器群に関する情報を含み、
前記連動先機器情報に、前記連動先となる接点入出力可能な照明機器群の動作に関する情報である停止を含み、
前記制御部は、前記各設定情報に基づいて、
前記第一設定値情報の連動元機器である人感センサが付属した空調機器群のうち設定した台数以上が人感知していると判断した場合には前記第一設定情報の連動先機器である接点入出力可能な照明機器群に運転命令を出すための制御要求情報を生成し、
前記第二設定情報の連動元機器である人感センサが付属した空調機器群のうち全台数以上が人未感知と判断した場合には前記第二設定情報の連動先機器である接点入出力可能な照明機器群に停止するための制御要求情報を生成し、
人感センサが付属した空調機器群が設定した台数以上が人感知した場合、接点入出力可能な照明機器群を運転し、同時に、人感センサが付属した空調機器群が全台数で人未感知の場合、接点入出力可能な照明機器群を停止すると共に、
更に、前記連動先機器情報は、前記連動先機器とは別に前記連動元機器を連動先とする前記連動元機器に関する情報を含み、
更に、前記連動先制御動作情報は、前記連動先機器とは別に前記連動元機器を連動先とする前記連動元機器の発停に関する情報を含み、
前記制御部は、前記連動元機器の前記連動元条件台数が前記連動元条件動作を充たすと判断された場合、前記連動先機器及び連動先とされた前記連動元機器の両方に前記連動先制御動作情報の動作を行わせることを特徴とする連動制御装置。
【発明の詳細な説明】
【技術分野】
【０００１】
本発明は、連動制御装置に関する。
【背景技術】
【０００２】
従来から、ネットワーク経由で連動制御を行う連動制御装置が提案されている。
【０００３】
例えば、特許文献１に示す連動制御においては、連動条件に連動元機器の発停台数または発停割合を設定可能とすることで、連動制御の自由度を高め、効率のよい連動制御を行うことを可能としている。
【０００４】
より詳細に説明すると、特許文献１の技術では連動制御に関する４情報（Ａ，Ｂ，Ｃ，Ｄ）を図７に示すように、３つのリンク情報（対応付け情報）として管理している。ここで、Ａは連動元識別情報、Ｂは連動条件情報、Ｃは連動先識別情報、Ｄは連動動作情報である。つまり、第１対応付け情報で「Ａ連動元識別情報」と「Ｂ連動条件」とを対応付けるとともに、第２対応付け情報で「Ｃ連動先識別情報」と「Ｄ連動動作」とを対応付け、更に第３対応付け情報で「Ａ連動元識別情報」と「Ｃ連動先識別情報」とを対応付けることにより、第１対応付け情報と第２対応付け情報とを対応付けている。
【０００５】
そして、＜第１対応付け情報＞に基づいて連動条件が成立したかどうか判断し、連動条件が成立したと判断した場合、＜第２対応付け情報＞および＜第３対応付け情報＞に基づいてどの連動先にどの連動動作を行うかを判断している。
【先行技術文献】
【特許文献】
【０００６】
【特許文献１】特開２００７−１１０２１２号公報
【発明の概要】
【発明が解決しようとする課題】
【０００７】
しかし、例えば、以下の（１），（２）を同時に設定した場合においては、必ずしも適切な制御ができるとは限らない。これを図８（ａ）（従来）を用いて説明する。
（１）複数の空調機のうち１台が運転したら機器Ｃ１を運転させる。
（２）複数の空調機のうち２台が停止したら機器Ｃ２を停止させる。
【０００８】
複数の空調機のうち１台が運転したときに本来なら機器Ｃ１を運転させたいが、Ｃ２を停止させてしまうこともあり得る（ここで、Ｄは連動動作情報、つまり運転状態であり、Ｄ１が運転させる、Ｄ２が停止させるという情報である）。
【０００９】
何故なら、第１対応付け情報と第２対応付け情報とが直接結びついておらず、第３対応付け情報を介して結びついているからである。つまり、Ｂ１−Ａという第１対応付け情報が、Ｃ１−Ｄ１という第２対応付け情報か、Ｃ２−Ｄ２という第２対応付け情報か、のどちらに結びつくかが分からないのである。
【００１０】
従って上記従来技術によれば「空調機器群（Ａ）のうち１台以上が運転した場合には空調機器群（Ｃ）を運転し、空調機器群（Ａ）がすべて停止した場合には空調機器群（Ｃ）を停止するという連動制御」を確実に行うことはできない。換言すれば、連動元となる機器（Ａ）に対して異なる連動条件（Ｂ）を指定することは不可能である。これでは、連動先機器（Ｃ）で所望の運転ができず、無駄な運転を行ってしまうことにもなる。
【００１１】
他にも、例えば、以下の（３），（４）を設定した場合においては、必ずしも適切な制御ができるとは限らない。これを図８（ｂ）（従来）を用いて説明する。
（３）複数の空調機（Ａ１）のうち１台が運転したら機器Ｃを運転させる。
（４）複数の空調機（Ａ２）のうち２台が停止したら機器Ｃを停止させる。
【００１２】
従来技術によれば、＜第２対応付け情報＞と＜第３対応付け情報＞がリンクしていないため、１つのＣに対して複数の＜第２対応付け情報＞と＜第３対応付け情報＞を管理することができない。
【００１３】
一方、例えば、必要な時に空調機器群（Ｃ）を運転し、必要でない時は空調機器群（Ｃ）を停止するということを可能とするような「連動元となる機器（Ａ）に対して異なる連動条件（Ｂ）で異なる連動先（Ｃ）または同じ連動先（Ｃ）を制御可能とする」ことができれば、より有用な連動制御を実現することができる。つまり、無駄な運転を行わなくても済むこととなり、省エネ性を高めることにも資することとなる。
【００１４】
そこで、本発明は、より省エネ性の高い空調制御を実現することを目的とする。
【課題を解決するための手段】
【００１５】
上記目的は、
複数の機器（６１，・・・、７１，・・・、８１，・・・）に対してネットワーク（１０）経由で制御を行う連動制御装置（３０）であって、
前記連動制御装置（３０）に接続している前記複数の機器（６１，・・・、７１，・・・、８１，・・・）の現在状態（５１）を通信部（３１）を介して記憶する現在状態記憶部（３３）と、
連動制御を行う設定情報であって、連動元機器情報と連動元条件台数情報と連動元条件動作情報と連動先機器情報と連動先制御動作情報とが一つの対応付け情報として含む設定情報（４１，４２，・・・）が記憶される設定情報記憶部（３４）と、
を備え、
前記連動元機器情報は、連動元となる前記複数の機器である連動元機器に関する情報を含み、
前記連動元条件台数情報は、前記連動元機器の対象台数に関する情報を含み、
前記連動元条件動作情報は、前記連動元機器の発停に関する情報を含み、
前記連動先機器情報は、連動先となる前記複数の機器である連動先機器に関する情報を含み、
前記連動先制御動作情報は、前記連動先機器の発停に関する情報を含み、
前記現在状態（５１）と前記設定情報（４１，４２，・・・）に基づいて前記連動先機器に前記連動先制御動作情報の動作を行わせる制御部（３２）をさらに備えており、
前記複数の機器は、空調機器及び換気機器及び外部入出力及びアナログ入出力のいずれかが可能な機器のいずれかを含み、
前記制御部（３２）は、前記連動元機器の前記連動元条件台数が前記連動元条件動作を充たすと判断された場合、前記連動先機器に前記連動先制御動作情報の動作を行わせる、連動制御装置（３０）
によって達成される。
【発明の効果】
【００１６】
本発明によれば、省エネ性の高い空調制御を実現することができる。
【図面の簡単な説明】
【００１７】
【図１】本発明の実施例を示す連動制御システムの全体構成を示す図。
【図２】本発明の実施例１における連動制御装置の詳細構造を示す図。
【図３】本発明の実施例１における設定情報の例を示す図。
【図４】本発明における連動制御の制御方法例を示すフロー図。
【図５】本発明の実施例２における設定情報の例を示す図。
【図６】本発明の実施例３における設定情報の例を示す図。
【図７】データ管理の方法を示す図。
【図８】特定の連動について説明する図（ａ）（ｂ）。
【図９】本発明の実施例４における具体例を示す図。
【図１０】本発明の実施例４における具体例を示す図。
【図１１】本発明の実施例５における具体例を示す図。
【図１２】本発明の実施例５における具体例を示す図。
【図１３】本発明の実施例６における具体例を示す図。
【図１４】本発明の実施例６における具体例を示す図。
【図１５】本発明における設定情報の詳細内容を示す図。
【発明を実施するための形態】
【００１８】
以下、図面を用いて本発明の実施例を説明する。
【実施例１】
【００１９】
図１〜図４を用いて第一の実施例に係わる連動制御システムを説明する。
【００２０】
まず図１を用いて連動制御システムの全体構成を説明する。
【００２１】
連動制御のシステム構成は、主として、連動制御装置３０，室内機群６０，換気機器群７０及び外部入出力及びアナログ入出力のいずれかが可能な機器群８０を備える。
【００２２】
室内機群６０（６１，６２，・・・），換気機器群７０（７１，７２，・・・），外部入出力及びアナログ入出力のいずれかが可能な機器群８０（８１，８２，・・・）及び連動制御装置３０はネットワーク１０で接続されている。
【００２３】
室内機群６０はネットワーク１０を介して図示しない室外機群と接続されている。
【００２４】
図２を用いて連動制御装置の詳細構造を説明する。
【００２５】
連動制御装置３０は主として通信部３１，制御部３２，現在状態記憶部３３，設定情報記憶部３４を備える。
【００２６】
通信部３１はネットワーク１０，制御部３２及び現在状態記憶部３３と接続されている。現在状態記憶部３３には、ネットワーク１０および通信部３１を介して室内機群６０，換気機器群７０及び外部入出力及びアナログ入出力のいずれかが可能な機器群８０から現在状態５１が入力される。
【００２７】
制御部３２は連動制御に必要な設定情報（４１，４２，・・・）を作成する。また制御部３２は通信部３１を介して現在状態記憶部３３に記憶された現在状態５１及び設定情報記憶部３４から設定情報（４１，４２，・・・）を受け取る。制御部３２は現在状態５１と設定情報（４１，４２，・・・）に基づいて連動元機器の連動元条件台数以上が連動元条件動作を充たしていると判定した場合、設定情報に基づいて連動先機器に連動先制御動作を行うための制御要求情報を生成する。
【００２８】
設定情報記憶部３４には、制御部３２より連動制御に必要な設定情報（４１，４２，・・・）が入力される。ここで、設定情報とは連動制御を行うにあたり必要な設定内容で、図３の表に示すような（１）連動元機器情報、（２）連動元条件台数情報、（３）連動元条件動作情報、（４）連動先機器情報、（５）連動先制御動作情報を含む。これらは一つの対応付け情報とされる。因みに従来は、（１）（２）（３）を第一対応付け情報、（４）（５）を第二対応付け情報、（１）（４）を第三対応付け情報としていた（図７も参照）。
【００２９】
通信部３１は制御部３２が生成した制御要求情報をネットワーク１０を通じて連動先機器に制御要求情報を送信する。
【００３０】
次に図３を用いて設定情報の構成を説明する。
【００３１】
設定情報は連動制御の設定ごとに個別に保持される。ここでは４１，４２が設定情報にあたる。１つの設定情報には、連動元の機器の情報，連動元条件となる台数の情報，連動元条件となる動作の情報，連動先となる機器の情報，連動先の制御動作の情報が一つの対応付け情報とされて含まれる。
【００３２】
次に連動制御を行う処理の流れを図４に示すフローチャートを用いて説明する。
【００３３】
制御開始タイミングになると、最新の連動制御の設定情報を制御部３２が設定情報記憶部３４から取得する（Ｓ１）。図９でいうと３４１のデータを設定情報記憶部３４から取得する。図１０でいうと３４２のデータを設定情報記憶部３４から取得する。
【００３４】
設定情報３４１（か３４２）を取得すると、各ネットワークに接続されている機器の現在状態を制御部３２が現在状態記憶部３３から取得する（Ｓ２）。図９，図１０でいうと各個室２００および共用部３００の空調機の状態を制御部３２が現在状態記憶部３３から取得する。
【００３５】
続いて制御部３２が取得した設定情報を用いて連動元となっている機器を識別する（Ｓ３）。図９でいうと３４１のデータを用いて連動元となっている各個室２００の室内ユニットを識別する。図１０でいうと３４２のデータを用いて連動元となっている各個室２００の室内ユニットを識別する。
【００３６】
取得した設定情報３４１（か３４２）を用いて連動元条件となっている機器の連動元条件動作を制御部３２が識別する（Ｓ４）。図９でいうと３４１のデータを用いて各個室２００の室内ユニットのうち運転しているユニットを識別する。図１０でいうと３４２のデータを用いて各個室２００の室内ユニットのうち停止しているユニットを識別する。
【００３７】
Ｓ３で識別した機器のうちＳ４で識別した連動元条件の動作となっている機器の台数を制御部３２が識別する（Ｓ５）。図９でいうと、運転しているユニットの台数を制御部３２が識別する。図１０でいうと、停止しているユニットの台数を制御部３２が識別する。
【００３８】
Ｓ３，Ｓ４，Ｓ５より連動条件を充たしているかどうかを制御部３２が判定する（Ｓ６）。図９でいうと各個室２００の室内ユニットが１台以上運転しているかどうか判定する。図１０でいうと各個室２００の室内ユニットが全台数停止しているかどうか判定する。
【００３９】
連動条件を充たしていないと判断した場合、Ｓ２に遷移し、連動条件を充たしていると判断した場合、Ｓ７に進む。図９でいうと各個室２００の室内ユニットが１台以上運転している場合Ｓ２に遷移し、１台も運転していない場合Ｓ７に遷移する。図１０でいうと各個室２００の室内ユニットが全台数停止している場合Ｓ２に遷移し、１台以上運転されている場合Ｓ７に遷移する。
【００４０】
Ｓ７では取得した設定情報を用いてＳ６により連動条件を充たしていると判断した設定情報の連動先機器を制御部３２が識別する（Ｓ７）。図９でいうと３４１より共用部３００の室内ユニットを識別する。図１０でいうと３４２より共用部３００の室内ユニットを識別する。
【００４１】
次にＳ７で識別した連動先機器の連動先制御動作を制御部３２が識別する（Ｓ８）。図９でいうと３４１より制御動作である運転という動作を識別する。図１０でいうと３４２より制御動作である停止という動作を識別する。
【００４２】
Ｓ７で識別した連動先機器に対してＳ８で認識した連動先制御動作を行うための連動制御要求を制御部３２が通信部３１を介して送信する（Ｓ９）。図９でいうと共用部３００の室内ユニットを運転するための制御要求を制御部３２が通信部３１を介して送信する。
図１０でいうと共用部３００の室内ユニットを停止するための制御要求を制御部３２が通信部３１を介して送信する。
【００４３】
この流れを設定情報の数の分だけ繰り返すことによって連動制御を行う。
【００４４】
連動元機器と連動先機器のみで連動元と連動先を結び付けるのではなく、図１５のようなデータの持ち方にすることで同じ連動元に対し異なる連動条件で同じ連動先機器を制御可能となる。
【００４５】
以上のように、実施例１によれば、空調機器群ＡＡのうち１台以上が運転された場合には空調機器群ＢＢを運転し、空調機器群ＡＡがすべて停止した場合には空調機器群ＢＢを停止するという条件を同時に設定可能となる。
【００４６】
図９および図１０でいうと各個室２００の室内ユニットが１台以上運転している場合には共用部３００の室内ユニットを運転し、各個室２００の室内ユニットが全台数停止している場合には共用部３００の室内ユニットを停止することが可能となる。
【００４７】
これにより、無駄運転の防止を可能とし、省エネ性を高める連動制御を可能とすることができる。
【００４８】
まとめると以下のとおりである。
【００４９】
本実施例の連動制御装置は、複数の機器に対してネットワーク経由で連動制御を行う連動制御装置であって、設定情報記憶部を備える。
【００５０】
設定情報記憶部には、連動制御を行う設定情報が記憶される。設定情報には連動元機器情報と連動元条件台数情報と連動元条件動作情報と連動先機器情報と連動先制御動作情報を含む。
【００５１】
連動元機器情報は、連動制御における連動元となる機器を識別するための情報である。
【００５２】
連動元条件台数情報は、連動元となる機器のうち連動先機器に対して連動制御動作が行われる条件の台数である。
【００５３】
連動元条件動作情報は、複数の機器に対して連動制御が行われるための連動元の動作であり、連動元となる機器の発停に関する情報を含む。
【００５４】
連動先機器情報は、連動制御における連動先となる機器を識別するための情報である。
【００５５】
連動先制御動作情報は、連動制御における連動先の動作であり、連動先となる機器の発停に関する情報を含む。
【００５６】
また、連動制御装置は通信部，監視部，現在状態記憶部及び制御部を備える。
【００５７】
通信部はネットワークを介して監視部に連動制御装置に接続されている複数の機器の現在状態を送信する。
【００５８】
現在状態にはネットワーク経由で連動制御装置に接続されているすべての機器の識別情報及び運転状態に関する情報を含む。
【００５９】
監視部は、受信した現在状態を現在状態記憶部に送信する。
【００６０】
制御部は現在状態記憶部に記憶された現在状態及び設定情報記憶部に記憶された設定情報に基づいて連動元機器の連動元条件台数以上が連動元条件動作を充たすと判断した場合、設定情報に基づいて連動先機器に連動先制御動作を行わせるための情報を作成し、通信部を介してネットワーク経由で連動先機器に送信する。
【００６１】
連動元となる機器及び連動先となる機器は空調機器及び換気機器及び外部入出力及びアナログ入出力のいずれかが可能な機器のいずれかを含む。
【００６２】
これにより、例えば、連動元となる複数台の空調機群ＡＡがすべて停止している場合、連動先の換気機器群ＢＢを停止し、同時に、連動元となる複数台の空調機群ＡＡのうち指定台数以上が運転している場合、連動先の換気機器群ＢＢを運転するという条件を設定することが可能となり、より有用な連動制御を可能とすることができる。
【実施例２】
【００６３】
次に図６を用いて実施例１の変形例を説明する。従って、実施例１と同様なものについては基本的には説明を省略する。
【００６４】
図２を用いて連動制御装置の詳細構造を説明する。
【００６５】
制御部３２は連動制御に必要な設定情報（１４１，１４２，・・・）を作成する。また制御部３２は通信部３１を介して現在状態記憶部３３に記憶された現在状態５１及び設定情報記憶部３４から設定情報（１４１，１４２，・・・）を受け取る。制御部３２は現在状態５１と設定情報（１４１，１４２，・・・）に基づいて連動元機器の連動元条件台数以上が連動元条件動作を充たしていると判定した場合、設定情報に基づいて連動先機器に連動先制御動作を行うための制御要求情報を生成する。
【００６６】
設定情報記憶部３４には、制御部３２より連動制御に必要な設定情報（１４１，１４２，・・・）が入力される。連動元条件動作情報には発停情報の他にアラーム発報，サーモオンのいずれかに関する内容を含む。
【００６７】
連動先制御動作情報には発停情報の他に運転モード，設定温度，風量，風向，手元リモコン禁止，手元リモコン許可のいずれかを含む。
【００６８】
次に図６を用いて設定情報の詳細構成を説明する。
【００６９】
設定情報は連動制御の設定ごとに個別に保持される。ここでは１４１，１４２が設定情報にあたる。連動元条件となる動作の情報は、発停の他にサーモオン，アラーム発生のいずれかをさらに含む。
【００７０】
連動先の制御動作の情報は、発停の他に運転モード，設定温度，風量，風向，手元リモコン禁止，手元リモコン許可のいずれかをさらに含む。
【００７１】
以上のように、実施例２によれば、空調機器群ＣＣのうち１台以上がアラーム発報した場合、接点入出力可能な照明機器群ＤＤを運転し、空調機器群ＣＣのうち５台以上がサーモオンした場合、より容量の大きな空調機器群ＥＥを運転し、空調機器群ＣＣのうち５台以上がサーモオンした場合、空調機器群ＣＣを停止するという条件を同時に設定可能となる。
【００７２】
これにより、より省エネ性を高める連動制御を行うことが可能となる。
【実施例３】
【００７３】
次に図８を用いて更に別の実施例を説明する。ここでも、実施例１と同様なものについては基本的には説明を省略する。
【００７４】
図２を用いて連動制御装置の詳細構造を説明する。
【００７５】
制御部３２は連動制御に必要な設定情報（２４１，２４２，・・・）を作成する。また制御部３２は通信部３１を介して現在状態記憶部３３に記憶された現在状態５１及び設定情報記憶部３４から設定情報（２４１，２４２，・・・）を受け取る。制御部３２は現在状態５１と設定情報（２４１，２４２，・・・）に基づいて連動元機器の連動元条件台数以上が連動元条件動作を充たしていると判定した場合、設定情報に基づいて連動先機器に連動先制御動作を行うための制御要求情報を生成する。
【００７６】
設定情報記憶部３４には、制御部３２より連動制御に必要な設定情報（２４１，２４２，・・・）が入力される。連動元条件動作情報には発停，アラーム発生，サーモオンの他に一定時間内におけるリモコン操作及びリモコン未操作及び人感センサにおける人の検知及び人感センサにおける人の未感知のいずれかをさらに含む。
【００７７】
通信部３１は制御部３２が生成した制御要求情報をネットワーク１０を通じて連動先機器に制御要求情報を送信する。
【００７８】
次に図８を用いて設定情報の詳細構成を説明する。
【００７９】
設定情報は連動制御の設定ごとに個別に保持される。ここでは２４１，２４２が設定情報にあたる。連動元条件となる動作の情報は、発停の他にアラーム発生、サーモオンの他に一定時間内におけるリモコン操作及びリモコン未操作及び人感センサにおける人の検知及び人感センサにおける人の未感知のいずれかをさらに含む。
【００８０】
連動先の制御動作の情報は、発停，運転モード，設定温度，風量，風向，手元リモコン禁止，手元リモコン許可のいずれかを含む。
【００８１】
以上のように、実施例３によれば、空調機器群ＦＦのうち１台以上が人を検知した場合、接点入出力可能な照明機器群ＧＧを運転し、空調機器群ＦＦのうち３台以上で人を未感知の場合、接点入出力可能な照明機器群ＧＧを停止するという条件を同時に設定可能となる。
【００８２】
これにより、より省エネに効果的な連動制御を行うことが可能となる。
【００８３】
まとめると以下のとおりである。
【００８４】
本実施例では、連動元条件動作に連動元機器の一定時間内におけるリモコン操作及びリモコン未操作及び人感センサにおける人の検知及び人感センサにおける人の未感知のいずれかに関する条件をさらに含む。
【００８５】
制御部は、現在状態記憶部に記憶された現在状態及び設定情報記憶部に記憶された設定情報に基づいて連動元機器の連動元条件台数以上が連動元条件動作を充たすと判断した場合、設定情報に基づいて連動先機器に連動先制御動作を行わせるための情報を作成し、通信部を介してネットワーク経由で連動先機器に送信する。
【００８６】
連動元となる機器はリモコン及び人感センサのいずれかが付属している空調機器及び換気機器及び外部入出力及びアナログ入出力のいずれかが可能な機器のいずれかを含み、連動先となる機器は空調機器及び換気機器及び外部入出力及びアナログ入出力のいずれかが可能な機器のいずれかを含む。
【００８７】
これにより、例えば、連動元となる複数台の空調機群ＡＡのうち１台でも人感センサで人を検知している場合、連動先の照明機器群ＢＢを運転し、連動元となる複数台の空調機群ＡＡがすべて人感センサで人を検知していない場合、連動先の照明機器群ＢＢを停止し、省エネ性を高める無駄運転の防止を行うことが可能となる。
【実施例４】
【００８８】
ここでも、実施例１と同様なものについては基本的には説明を省略する。
【００８９】
図９のように設定情報３４１の連動元機器情報に各個室２００の室内ユニットを、連動元条件台数情報に１台以上を、連動元条件動作情報に運転を設定し、連動先機器情報に共用部３００の室内ユニットを、連動先制御動作情報に運転を設定する。
【００９０】
同時に図１０のように設定情報３４２の連動元機器情報に図９と同じく各個室２００の室内ユニットを、連動元条件台数情報に全台数以上を、連動元条件動作情報に停止を設定し、連動先機器情報に図９と同じく共用部３００の室内ユニットを、連動先制御動作情報に停止を設定する。
【００９１】
前記２つの設定情報において、各設定情報は設定情報記憶部３４に記憶される。
【００９２】
ネットワーク１０および通信部３１を介して空調機器群６０の現在状態５１が現在状態記憶部３３に入力される。
【００９３】
制御部３２は設定情報記憶部３４に記憶された設定情報３４１および現在状態記憶部３３に入力された現在状態５１に基づいて設定情報３４１で設定した各個室２００の室内ユニットのうち１台以上が運転していると判断した場合、共用部３００の室内ユニットが運転するための制御要求情報を作成する。
【００９４】
また、制御部３２は設定情報記憶部３４に記憶された設定情報３４２および現在状態記憶部３３に入力された現在状態５１に基づいて設定情報３４２で設定した各個室２００の室内ユニットのうち全台数が停止していると判断した場合、共用部３００の室内ユニットが停止するための制御要求情報を作成する。
【００９５】
以上により、各個室２００の空調機群のうち１台以上運転した場合、共用部３００の空調機群をすべて運転し、また、各個室２００の空調機群のうち全台数が停止した場合、共用部３００の空調機群をすべて停止するという条件が同時に設定可能となる。
【００９６】
これにより、無駄運転の防止を可能とし、省エネ性を高める連動制御を可能とすることができる。
【実施例５】
【００９７】
ここでも、実施例１と同様なものについては基本的には説明を省略する。
【００９８】
図１１のように設定情報４４１の連動元機器情報に小容量の室内ユニット６０ｘを、連動元条件台数情報に５台以上を、連動元条件動作情報にサーモオンを設定し、連動先機器情報に大容量の室内ユニット６０Ｘを、連動先制御動作情報に運転を設定する。
【００９９】
同時に図１２のように設定情報４４２の連動元機器情報に図１１と同じく小容量の室内ユニット６０ｘを、連動元条件台数情報に図１１と同じく５台以上を、連動元条件動作情報に図１１と同じくサーモオンを設定し、連動先機器情報に連動元機器情報と同じく小容量の室内ユニット６０ｘを、連動先制御動作情報に停止を設定する。
【０１００】
制御部３２は設定情報記憶部３４に記憶された設定情報４４１および現在状態記憶部３３に入力された現在状態５１に基づいて設定情報４４１で設定した小容量の室内ユニット６０ｘのうち５台以上がサーモオンしていると判断した場合、大容量の室内ユニット６０Ｘが運転するための制御要求情報を作成する。
【０１０１】
また、制御部３２は設定情報記憶部３４に記憶された設定情報４４２および現在状態記憶部３３に入力された現在状態５１に基づいて設定情報４４２で設定した小容量の室内ユニット６０ｘのうち５台以上がサーモオンしていると判断した場合、小容量の室内ユニット６０ｘが停止するための制御要求情報を作成する。
【０１０２】
以上により、容量の小さい室内ユニット６０ｘが５台以上サーモオンした場合、容量の小さい室内ユニット６０ｘをすべて停止すると同時に容量の大きい室内ユニット６０Ｘを運転することが可能となる。
【０１０３】
これにより、より省エネ性を高める連動制御を可能とすることができる。
【実施例６】
【０１０４】
ここでも、実施例１と同様なものについては基本的には説明を省略する。
【０１０５】
図１３のように設定情報５４１の連動元機器情報に人感センサが付属した室内ユニット６０Ｙを、連動元条件台数情報に１台以上を、連動元条件動作に人検知を設定し、連動先機器情報に接点入出力可能な照明機器８０ｚを、連動先制御動作情報に運転を設定する。
なお、人感センサが付属した室内ユニット６０Ｙには、図１３においてスマイルマークを付して表しており二台ある。また、６０ｙで指示される室内ユニットは人感センサの無い室内ユニットである。
【０１０６】
同時に図１４のように設定情報５４２の連動元機器情報に図１３と同じく人感センサが付属した室内ユニット６０Ｙを、連動元条件台数情報に全台数以上を、連動元条件動作に人未感知を設定し、連動先機器情報に接点入出力可能な照明機器８０ｚを、連動先制御動作情報に停止を設定する。
【０１０７】
制御部３２は設定情報記憶部３４に記憶された設定情報５４１および現在状態記憶部３３に入力された現在状態５１にも続いて設定情報５４１で設定した人感センサが付属した室内ユニット６０Ｙのうち１台以上が人を検知した場合、連動先機器の接点入出力可能な照明機器８０ｚを運転するための制御要求情報を作成する。
【０１０８】
また、制御部３２は設定情報記憶部３４に記憶された設定情報５４２および現在状態記憶部３３に入力された現在状態５１に基づいて設定情報５４２で設定した連動元機器の人感センサが付属した室内ユニット６０Ｙのうち全台数以上が人を未感知の場合、連動先機器の接点入出力可能な照明機器８０ｚを停止するための制御要求情報を作成する。
【０１０９】
以上により、人がいると判断した場合、照明を点灯し、同時に、人がいないと判断した場合、照明をすべて消灯するということが可能となる。
【０１１０】
これにより、照明の消し忘れを防止することが可能となり、省エネを高める連動制御を可能とすることができる。
【０１１１】
以上、各実施例を総合すれば、図８（ａ）（ｂ）（本実施例）において、
（１）と（２）の連動制御情報はそれぞれ独立して管理しているため、それぞれの連動制御条件は関連性無く、独立して制御することが可能である。
（３）と（４）の連動制御情報はそれぞれ独立して管理しているため、それぞれの連動制御条件は関連性無く、独立して制御することが可能である。
【符号の説明】
【０１１２】
１０…ネットワーク、３０…連動制御装置、３１…通信部、３２…制御部、３３…現在状態記憶部、３４…設定情報記憶部、５１…現在状態、６０（６１・・・）、７０（７１・・・）、８０（８１・・・）…複数の機器、６０Ａ、６０Ｂ、６０Ｃ、６０Ｄ、６０Ｅ…空調機器群、３４１…第一設定情報、３４２…第二設定情報、４４１…第三設定情報、４４２…第四設定情報、５４１第五設定情報。５４２…第六設定情報、８０（８０Ａ）…照明機器群、８０ｚ…照明機器。
【図１】
0005421319.tif 000002
【図２】
0005421319.tif 000003
【図３】
0005421319.tif 000004
【図４】
0005421319.tif 000005
【図５】
0005421319.tif 000006
【図６】
0005421319.tif 000007
【図７】
0005421319.tif 000008
【図８】
0005421319.tif 000009
【図９】
0005421319.tif 000010
【図１０】
0005421319.tif 000011
【図１１】
0005421319.tif 000012
【図１２】
0005421319.tif 000013
【図１３】
0005421319.tif 000014
【図１４】
0005421319.tif 000015
【図１５】
0005421319.tif 000016